(57)【要約】【課題】天井パネルの取り外し、交換を容易にし、かつ、交換の際の天井パネルの位置合せを確実に行えるようにすること。【解決手段】平行に配置される天井レール２間に、側端面に設けられる嵌合凹条１１又は嵌合凸条１２を介して連結される天井パネル３を載置し、天井レールと、該天井レールの上面に載置されるカバー材３０とを介して架設する天井構造において、天井レールは、垂直基部２０と、該垂直基部の下端から両側に延在され、天井パネルを載置するフランジ部２３とを具備し、カバー材は、天井レールの垂直基部に嵌合する嵌合部３１と、該嵌合部の両側外方部位に突設され、天井パネルの側端部に当接するガイド部３２とを具備する。天井パネルの架設状態において、天井レールのフランジ部の基端部と、ガイド部に当接した天井パネルの側端面との距離（Ａ）が、天井パネルの凹条又は凸条の高さ（Ｂ）よりも大きくなるように形成する。【選択図】  図２
2008106566.tif 000002
【特許請求の範囲】
【請求項１】
パネル体やフィルタユニット，照明器具等の天井設備を具備するパネル体等の天井パネルを、平行に配置される天井レール間に架設してなるクリーンルーム等の天井構造において、
上記天井パネルは、該天井パネルの側端面に設けられる互いに嵌合可能な凹条又は凸条を介して接合されると共に、上記天井レールと、該天井レールの上面に載置されるカバー材とを介して天井レール間に架設され、
上記天井レールは、垂直基部と、該垂直基部の下端から両側に延在され、上記天井パネルを載置するフランジ部とを具備し、
上記カバー材は、該カバー材の下面側に、上記天井レールの垂直基部に嵌合する嵌合部と、該嵌合部の両側外方部位に突設され、上記天井パネルの側端部に当接するガイド部とを具備し、
上記天井パネルの架設状態において、上記天井レールのフランジ部の基端部と、上記ガイド部に当接した上記天井パネルの側端面との距離（Ａ）が、上記天井パネルの凹条又は凸条の高さ（Ｂ）よりも大きくなるように形成してなる、ことを特徴とするクリーンルーム等の天井構造。
【請求項２】
請求項１記載のクリーンルーム等の天井構造において、
上記カバー材のガイド部には、内側に向かう勾配が設けられている、ことを特徴とするクリーンルーム等の天井構造。
【請求項３】
請求項１又は２記載のクリーンルーム等の天井構造において、
上記天井レールの垂直基部の上面にねじ溝が設けられ、上記カバー材を貫通するねじ部材が上記ねじ溝に螺合可能に形成されている、ことを特徴とするクリーンルーム等の天井構造。
【発明の詳細な説明】
【技術分野】
【０００１】
この発明は、例えば天井板や清浄空気を生成するフィルタユニット，照明機器等の天井設備を目的に応じて配置可能にするクリーンルーム等の天井構造に関するものである。
【背景技術】
【０００２】
一般に、クリーンルーム等の天井構造は、天井板を構成するパネル体やフィルタユニット，照明器具等の天井設備を具備するパネル体等の天井パネルの複数を互いに接合し、平行に配置される天井レール間に架設してなり、クリーンルーム等の設備の配置変更に伴って天井パネルの取り外しが可能に構成されている。
【０００３】
従来では、天井パネル同士の接合は、天井パネルの側端面に設けられた凹条又は凸条を嵌合させるもの、天井パネルの側端面に設けられた凹条に連結部材を嵌合するもの、接合される両天井パネル間に断面略エ字状のレール材を介在させるもの等が一般に行われている。また、天井パネル同士の接合の連結強度を高める目的で、天井パネルの側端面にある領域を除いて凸部又は凹部を沿設し、除かれた領域に溝を設け、凸部と凹部を嵌合し、溝内に繋ぎ材を嵌合して接合（連結）する構造のものが知られている（例えば、特許文献１参照）。
【特許文献１】特開２００５−１０５５７４号公報（特許請求の範囲、図３）
【発明の開示】
【発明が解決しようとする課題】
【０００４】
しかしながら、従来の天井構造においては、クリーンルーム等の設備の配置変更に伴って天井パネルの取り外し、交換が容易でなく、天井パネルの取り外しや交換作業に二人以上の作業者を必要としていた。例えば、図９に示すように、側端面に凹条ａを有する天井パネルＰ１と、側端面に凸条ｂを有する天井パネルＰ２を取り外し、復旧する際、２枚の天井パネルＰ１，Ｐ２を同時に拝み合わせるため、１枚の天井パネルＰ１（Ｐ２）の前後に二人が必要となり、合計四人の作業者が必要となる。
【０００５】
また、従来の天井構造においては、交換の際の天井パネルの位置合せが困難であり、天井部分の気密性能に影響を及ぼす懸念があった。すなわち、図９の例で説明すると、天井パネルＰ１，Ｐ２の取り外し、復旧の際、パネル目地部に遊び（クリアランス）が必要となるため、特に、パッキン式（ノンシール）の場合、目地の気密性能を設計値通りに確保することが困難となる。
【０００６】
この発明は、上記事情に鑑みてなされたのもので、天井パネルの取り外し、交換を容易にし、かつ、交換の際の天井パネルの位置合せを確実に行えるようにしたクリーンルーム等の天井構造を提供することを課題とする。
【課題を解決するための手段】
【０００７】
上記課題を解決するため、請求項１記載の発明は、パネル体やフィルタユニット，照明器具等の天井設備を具備するパネル体等の天井パネルを、平行に配置される天井レール間に架設してなるクリーンルーム等の天井構造において、  上記天井パネルは、該天井パネルの側端面に設けられる互いに嵌合可能な凹条又は凸条を介して接合されると共に、上記天井レールと、該天井レールの上面に載置されるカバー材とを介して天井レール間に架設され、  上記天井レールは、垂直基部と、該垂直基部の下端から両側に延在され、上記天井パネルを載置するフランジ部とを具備し、  上記カバー材は、該カバー材の下面側に、上記天井レールの垂直基部に嵌合する嵌合部と、該嵌合部の両側外方部位に突設され、上記天井パネルの側端部に当接するガイド部とを具備し、  上記天井パネルの架設状態において、上記天井レールのフランジ部の基端部と、上記ガイド部に当接した上記天井パネルの側端面との距離（Ａ）が、上記天井パネルの凹条又は凸条の高さ（Ｂ）よりも大きくなるように形成してなる、ことを特徴とする。
【０００８】
このように構成することにより、カバー材を天井レールから取り外した状態で、取り外し（交換）の対象となる天井パネルと隣接する天井パネルを天井レール側に移動することで、対象となる天井パネルとの嵌合を解くことができる。この際、天井パネルの移動距離すなわち天井レールのフランジ部の基端部と、ガイド部に当接した天井パネルの側端面との距離（Ａ）が、天井パネルの凹条又は凸条の高さ（Ｂ）よりも大きいので、天井パネル同士は干渉しなくなる。この状態で、対象となる天井パネルを持ち上げるか、下ろすことで、対象となる天井パネルを取り外すことができる。天井パネルを取り付ける場合は、上記と逆の手順で空いた箇所に新たな天井パネルを配置することができる。
【０００９】
また、請求項２記載の発明は、請求項１記載のクリーンルーム等の天井構造において、上記カバー材のガイド部には、内側に向かう勾配が設けられている、ことを特徴とする。
【００１０】
このように構成することにより、天井レールのフランジ部の上に天井パネルを載置した状態で、天井レールにカバー材を載置することで、ガイド部が天井パネルを外方に押し出すことができる。
【００１１】
また、請求項３記載の発明は、請求項１又は２記載のクリーンルーム等の天井構造において、上記天井レールの垂直基部の上面にねじ溝が設けられ、上記カバー材を貫通するねじ部材が上記ねじ溝に螺合可能に形成されている、ことを特徴とする。
【００１２】
このように構成することにより、天井レールの垂直基部の上部にカバー材を嵌合した状態で、カバー材を貫通するねじ部材がねじ溝に螺合されるので、カバー材と天井レールの連結を容易かつ強固にすることができる。
【発明の効果】
【００１３】
この発明によれば、上記のように構成されているので、以下のような優れた効果が得られる。
【００１４】
（１）請求項１記載の発明によれば、取り外し（交換）の対象となる天井パネルと隣接する天井パネルを天井レール側に移動することで、対象となる天井パネルとの嵌合を解いて、対象となる天井パネルを持ち上げるか、下ろすことで、対象となる天井パネルを容易に取り外すことができる。また、天井パネルを取り付ける場合は、上記と逆の手順で空いた箇所に新たな天井パネルを配置することができる。したがって、天井パネルの取り外し、交換を容易にし、かつ、交換の際の天井パネルの位置合せを確実にすることができる。
【００１５】
（２）請求項２記載の発明によれば、天井レールのフランジ部の上に天井パネルを載置した状態で、天井レールにカバー材を載置することで、ガイド部が天井パネルを外方に押し出すことができ、天井パネル同士の嵌合部に押圧力を与えるので、上記（１）に加えて、更に天井パネル同士の接合を確実にすることができると共に、天井パネルの位置合せと気密を容易に保つことができる。
【００１６】
（３）請求項３記載の発明によれば、天井レールの垂直基部の上部にカバー材を嵌合した状態で、カバー材を貫通するねじ部材がねじ溝に螺合されるので、上記（１），（２）に加えて、更にカバー材と天井レールの連結を容易かつ強固にすることができると共に、ねじ止め位置に自由度を持たせることができる。
【発明を実施するための最良の形態】
【００１７】
以下に、この発明の最良の実施形態を添付図面に基づいて詳細に説明する。
【００１８】
図１は、この発明に係るクリーンルームの天井構造の第１実施形態を示す概略平面図、図２は、図１のＩ−Ｉ線に沿う天井パネルの接合時の概略断面図（ａ）及び天井パネルの取り外し時の概略断面図（ｂ）、図３は、この発明における天井レール、カバー材及び天井パネルの連結状態を示す断面図（ａ）及びその分解状態を示す断面図（ｂ）である。
【００１９】
上記天井構造は、図１及び図２に示すように、天井を構成する位置に格子状に配置される主天井レール１及び補助天井レール２と、これら天井レール２によって区画された四角形状の格子状空間（図示せず）を、天井レール２の上側から塞ぐパネル体３ａ，ファンフィルタユニット（ＦＦＵ）４を具備するパネル体３ｂ，照明器具５を具備するパネル体３ｃ等の天井パネル３とで主に構成されている。この場合、主天井レール１は、図示しない吊り部材によって躯体の天井部から吊持されている。この主天井レール１に係合する押え部材６と継手部材７を補助天井レール２にねじ止めすることで、補助天井レール２が主天井レール１に対して直交状に連結されている（図４参照）。そして、平行に配置される補助天井レール２間に、互いに接合された複数例えば３枚の天井パネル３（具体的には、２枚のパネル体３ａと１枚の照明器具５を具備するパネル体３ｃ）が載置され、補助天井レール２と、この補助天井レール２の上面に載置されるカバー材３０とを介して架設されている。以下に、説明の便宜上、天井パネル３とは、天井設備を具備しないパネル体３ａを指すものとする。
【００２０】
上記天井パネル３は、図２，図３及び図５に示すように、一対の表面板１０ａ，１０ｂの側辺部間に嵌合凹条１１又は嵌合凸条１２を有する枠材１３ａ，１３ｂを介在し、両表面板１０ａ，１０ｂと枠材１３ａ，１３ｂとで形成された空間部内に例えば発泡ポリウレタン等の断熱材１４が充填されている。
【００２１】
この場合、枠材１３ａ，１３ｂは、共に嵌合凹条１１を有し、一方の枠材１３ａの嵌合凹条１１に凸条部を形成する嵌合部材１２ａが目地を兼用する止着部材１２ｂによって固定されて、嵌合凸条１２を形成している。
【００２２】
なお、上記構造に代えて、図６に示すように、嵌合凹条１１Ａを一体に形成した枠材１３Ａ又は嵌合凸条１２Ａを一体に形成した枠材１３Ｂを有する天井パネル３Ａ同士を接合する構造としてもよい。
【００２３】
上記補助天井レール２（以下に単に天井レール２という）は、図２，図３及び図７に示すように、上面中央部に凹状段部２１を介して凹状のねじ溝２２を有する略中空矩形状の垂直基部２０と、この垂直基部２０の下端から両側に延在され、天井パネル３を載置するフランジ部２３とを具備している。なお、フランジ部２３の先端側上面には、上方に向かって開口する狭隘開口状の嵌合溝２４が天井レール２に沿って設けられている。この嵌合溝２４内にはシールパッキン２５が嵌合され、このシールパッキン２５によってフランジ部２３上に載置される天井パネル３との気密が保持されるようになっている。このように構成される天井レール２は、アルミニウム製押出形材にて形成されている。
【００２４】
上記カバー材３０は、図２，図３及び図８に示すように、カバー材３０の下面側に形成され、天井レール２の垂直基部２０に嵌合する一対の垂下片３１ａ，３１ａからなる嵌合部３１と、下面側において嵌合部３１の両側外方部位に突設され、天井パネル３の側端部に当接するガイド部３２とを具備している。この場合、ガイド部３２は、内側に向かって勾配が設けられた傾斜片３２ａにて形成されている。このように構成されるカバー材３０は、天井レール２と同様に、アルミニウム製押出形材にて形成されている。
【００２５】
上記のように構成される天井パネル３を天井レール２間に架設するには、天井パネル３同士を嵌合凹条１１と嵌合凸条１２とを嵌合して接合（連結）した状態で、天井レール２間に架設し、この状態で、天井レール２の垂直基部２０にカバー材３０の嵌合部３１を嵌合し、カバー材３０を貫通するねじ部材である固定ねじ４０を天井レール２の垂直基部２０の上面に設けられたねじ溝２２に螺合して、天井レール２に天井パネル３を固定する。これにより、天井パネル３は天井レール２のフランジ部２３上にシールパッキン２５を介して気密が保持された状態で固定される。
【００２６】
この天井パネル３の架設状態において、天井レール２のフランジ部２３の基端部と、ガイド部３２に当接した天井パネル３の側端面との距離（Ａ）が、天井パネル３の嵌合凹条１１又は嵌合凸条１２の高さ（Ｂ）よりも大きくなるように形成されている。
【００２７】
このように、（Ａ）＞（Ｂ）とすることにより、図２（ｂ）に示すように、固定ねじ４０を弛めてカバー材３０を天井レール２から取り外した状態で、取り外し（交換）の対象となる天井パネル３（図２における中間に位置する天井パネル３）と隣接する天井パネル３を天井レール側に移動することで、対象となる天井パネル３との嵌合を解くことができる。この際、天井パネル３の移動距離すなわち（Ａ）が、天井パネル３の嵌合凹条１１又は嵌合凸条１２の高さ（Ｂ）よりも大きいので、天井パネル３同士は干渉しなくなる。この状態で、対象となる天井パネル３を持ち上げるか、下ろすことで、対象となる天井パネル３を容易に取り外すことができる。
【００２８】
また、天井パネル３を取り付ける場合は、上記と逆の手順で空いた箇所に新たな天井パネル３を配置することができる。すなわち、上記の手順で対象となる天井パネル３を取り外した後の空いた箇所に新たな天井パネル３を配置させた後、隣接する天井パネル３を天井レール２から離れる方向に移動して嵌合凹条１１と嵌合凸条１２を嵌合させる。そして、この状態で、天井レール２の垂直基部２０の上部にカバー材３０の嵌合部３１を嵌合させる。このとき、カバー材３０に設けられた内側に向かう勾配を有するガイド部３２が天井パネル３の側端部を天井レール２の外側に押し出すように当接するので、天井パネル３同士の嵌合部に押圧力を与え、天井パネル３の位置合せを確実にすることができ、高い気密性を保持することができる。
【００２９】
カバー材３０の嵌合部３１を天井レール２の垂直基部２０に嵌合した後、カバー材３０を貫通する固定ねじ４０を天井レール２のねじ溝２２に螺合する。これにより、カバー材３０と天井レール２との固定が容易かつ強固になると共に、天井パネル３の連結が強固になる。また、天井レール２にねじ溝２２を設けることにより、ねじ止め位置に自由度を持たせることができる。
【００３０】
なお、上記実施形態では、天井レール２間に、３枚の天井パネル３が接合（連結）される場合について説明したが、この発明に係る天井構造によれば、４枚以上の天井パネル３を接合（連結）する天井構造においても、同様に適用できることは勿論である。
【００３１】
また、上記実施形態ではクリーンルームの天井構造について説明したが、クリーンルーム以外においても、パネル体３ａやＦＦＵ４（フィルタユニット）を具備するパネル体３ｂ，照明器具５を具備するパネル体３ｃ等の天井設備を備える３枚以上の天井パネル３を接合（連結）して、天井レール２間に架設する構造であれば、その他のシステム天井の天井構造にも適用することができる。
【図面の簡単な説明】
【００３２】
【図１】この発明に係るクリーンルームの天井構造の第１実施形態を示す概略平面図である。
【図２】図１のＩ−Ｉ線に沿う天井パネルの接合時の概略断面図（ａ）及び天井パネルの取り外し時の概略断面図（ｂ）である。
【図３】この発明における天井レール、カバー材及び天井パネルの連結状態を示す断面図（ａ）及びその分解状態を示す断面図（ｂ）である。
【図４】この発明における天井レールとカバー材を示す分解斜視図である。
【図５】この発明における天井パネルの接合部を示す断面図である。
【図６】この発明における別の天井パネルの接合部を示す断面図である。
【図７】この発明における天井レールの断面図である。
【図８】この発明におけるカバー材の断面図である。
【図９】従来の天井パネルの取り外し、復旧状態を示す概略断面図である。
【符号の説明】
【００３３】
２  補助天井レール
３  天井パネル
３ａ〜３ｃ  パネル体
４  ＦＦＵ（ファンフィルタユニット）
５  照明器具
１１，１１Ａ  嵌合凹条
１２，１２Ａ  嵌合凸条
２０  垂直基部
２２  ねじ溝
２３  フランジ部
３０  カバー材
３１  嵌合部
３２  ガイド部
４０  固定ねじ（ねじ部材）
【図１】
2008106566.tif 000003
【図２】
2008106566.tif 000004
【図３】
2008106566.tif 000005
【図４】
2008106566.tif 000006
【図５】
2008106566.tif 000007
【図６】
2008106566.tif 000008
【図７】
2008106566.tif 000009
【図８】
2008106566.tif 000010
【図９】
2008106566.tif 000011